(57)【要約】【課題】  小風量で使用する場合でも騒音を抑制することができる遠心送風機を提供する。【解決手段】  本発明に係る遠心送風機１は、羽根車２と、羽根車２を収容するケーシング３とを備える。ケーシング３は、羽根車２の外周を囲う本体部３１と、本体部３１に接続される吐出部３２と、吐出部３２の接続部分に形成される舌部３３とを備える。吐出部３２の舌部３３と反対側には、吐出部３２の幅方向に延びる突条部４０が設けられている。【選択図】  図１
2018040339.tif 000002
【特許請求の範囲】
【請求項１】
羽根車と、
前記羽根車を収容するケーシングと、を備え、
前記ケーシングは、前記羽根車の外周を囲う本体部と、前記本体部に接続される吐出部と、前記吐出部の接続部分に形成される舌部とを備え、
前記吐出部の前記舌部と反対側には、前記吐出部の幅方向に延びる突条部が設けられている遠心送風機。
【請求項２】
前記突条部は、長さ方向に直交する方向の断面形状が山なりである請求項１に記載の遠心送風機。
【請求項３】
前記突条部は、前記本体部の内部において前記羽根車の外周を流れる気流の流れに近接した位置に設けられている請求項１または２に記載の遠心送風機。
【請求項４】
前記突条部は、前記吐出部の高さの３０％以下の高さを有する請求項１から３のいずれか一項に記載の遠心送風機。
【発明の詳細な説明】
【技術分野】
【０００１】
本発明は、遠心送風機に関するものである。
【背景技術】
【０００２】
従来、軸方向から吸い込んだ空気を遠心方向に送風する遠心送風機が知られている（例えば、特許文献１）。このような遠心送風機は、軸方向から吸い込んだ空気を遠心方向に送風する羽根車と、羽根車を収容するケーシングとを備えている。ケーシングは、羽根車の外周を囲う本体部と、本体部に接続される吐出部と、吐出部の接続部分に形成される舌部とを備えている。本体部の一方の側面には吸込口が形成されており、吐出部の先端が吐出口となっている。この遠心送風機は、吸込口から吸い込んだ空気を吐出部の先端に設けられる吐出口から吐出している。
【先行技術文献】
【特許文献】
【０００３】
【特許文献１】特開２００３−２０１９９６号公報
【発明の概要】
【発明が解決しようとする課題】
【０００４】
このような遠心送風機は一般に、羽根車の外周に形成される循環路に、吐出部に形成される吐出路が連通しているため、循環路は、吐出路との連通部分で一旦流路が広がり、舌部で流路が急激に狭くなる。そのため、舌部で流速が急激に上昇し、気流の乱れが生じる。また、一旦吐出路へ広がった気流が循環路を流れる気流（以下「循環流」という）に合流しようとして、循環流または舌部に衝突し、気流の乱れが生じる。このような気流の乱れが生じることで、騒音が大きくなるという問題が生じていた。このことは、遠心送風機によって物（例えば、木材または紙等）を吸着して運搬する等、遠心送風機を小風量で使用する場合に特に顕著に表れていた。
【０００５】
本発明は、上記課題を解決するためになされたものであり、小風量で使用する場合でも騒音を抑制することができる遠心送風機を提供する。
【課題を解決するための手段】
【０００６】
本発明に係る遠心送風機は、羽根車と、羽根車を収容するケーシングとを備える。ケーシングは、羽根車の外周を囲う本体部と、本体部に接続される吐出部と、吐出部の接続部分に形成される舌部とを備える。吐出部の舌部と反対側には、吐出部の幅方向に延びる突条部が設けられている。
【０００７】
本発明の遠心送風機では、舌部と反対側の吐出部に、吐出部の幅方向に延びる突条部が設けられている。この構成を有することで、本体部の内部において羽根車の外周を流れる気流（循環流）が吐出部へ広がることが抑制される。これにより、一旦吐出部へ広がり、吐出部から本体部へ戻ろうとする気流が減少し、そのような気流が循環流または舌部と衝突することが抑制され、結果、気流の乱れを抑制することができる。加えて、気流の乱れが抑制されることにより、気流の乱れによって生じる騒音も抑制することができる。
【０００８】
好ましい実施形態の遠心送風機においては、突条部は、長さ方向に直交する方向の断面形状が山なりである。
【０００９】
遠心送風機では、内部に吸い込まれた空気は、吐出部を介して吐き出される。このように遠心送風機から吐き出される空気は、突条部を越えて吐出部の先端に設けられている吐出口へと向かうこととなる。このとき、突条部を、長さ方向に直交する方向の断面形状が山なりとなるように構成すると、突条部を越える空気が、滑らかに吐出口へ向かって流れることができる。その結果、突条部を越える際に気流が乱れることが抑制され、気流の乱れによって生じる騒音を抑制することができる。
【００１０】
また、好ましい実施形態の遠心送風機においては、突条部は、本体部の内部において羽根車の外周を流れる気流の流れに近接した位置に設けられている。
【００１１】
また、好ましい実施形態の遠心送風機においては、突条部は、吐出部の高さの３０％以下の高さを有する。
【発明の効果】
【００１２】
本発明に係る遠心送風機によれば、小風量で使用する場合でも騒音を抑制することができる。
【図面の簡単な説明】
【００１３】
【図１】本発明の遠心送風機の一実施形態を示す斜視図である。
【図２】図１の遠心送風機の縦断面図である。
【図３】本発明の遠心送風機の他の実施形態を示す縦断面図である。
【図４】本発明の遠心送風機の他の実施形態を示す縦断面図である。
【図５】本発明の遠心送風機の他の実施形態を示す縦断面図である。
【図６】本発明の遠心送風機の一実施形態と従来の遠心送風機との音圧レベルの比較を示すグラフである。
【発明を実施するための形態】
【００１４】
以下、本発明に係る遠心送風機の一実施形態について、添付図面を参照して説明する。本実施形態に係る遠心送風機は、羽根車によって軸方向から吸い込んだ空気を遠心方向に送風するものである。以下では、羽根車の回転軸に基づいて、軸方向、周方向、径方向を定義する。また、吐出部の幅方向とは、気流の流れ方向に直交する方向であり、羽根車の回転軸の軸方向を意味する。
【００１５】
図１および図２に示すように、遠心送風機１は、羽根車２と、羽根車２を収容するケーシング３とを備えている。ケーシング３は、羽根車２の外周を囲う本体部３１と、本体部３１に接続される吐出部３２と、吐出部３２の接続部分に形成される舌部３３とを備えている。羽根車２およびケーシング３は、既知の任意の遠心送風機と同様の形態を有する。以下に一例を具体的に説明する。
【００１６】
ケーシング３の本体部３１は、正面板３１１と、正面板３１１に対して軸方向に離間して配置される背面板３１２と、正面板３１１および背面板３１２の外周縁を覆う一定幅の外周板３１３とを備えている。正面板３１１には、羽根車２の中心部分と対向する位置に、空気を吸い込むための吸込口３１１ａが形成されている。外周板３１３は、本体部３１の外周縁の全周のうちの一部分には設けられておらず、本体部３１の外周縁の開口部分に吐出部３２が接続されている。
【００１７】
吐出部３２は、角筒状を呈しており、先端（本体部３１に接続される側の反対側）に吐出口３２ａが形成されている。吐出部３２は、羽根車２の回転方向Ａの上流側では、本体部３１と滑らかに接続されており、羽根車２の回転方向Ａの下流側では、舌部３３を介して接続されている。
【００１８】
本体部３１の大きさは、内部に羽根車２が収容でき、羽根車２の外周に吸い込んだ空気が通過可能な流路が形成される大きさとなっている。流路は、舌部３３から羽根車２の回転方向Ａに向かって流路断面積が徐々に拡大されるように形成されている。
【００１９】
背面板３１２には、羽根車２を回転させるためのモータ（図示せず）が取り付けられている。モータの回転軸５１は、ケーシング３の内部に突出している。
【００２０】
羽根車２は、一対の基板２１，２２の間に、周方向に沿って等間隔に配置された複数の羽根２３が挟まれてなる。一方の基板２１が、モータの回転軸５１に固定されており、モータの駆動により、回転軸５１を中心に羽根車２が回転する。他方の基板２２には、ケーシング３の本体部３１に設けられる吸込口３１１ａと対向する位置に、吸込口２２ａが形成されている。
【００２１】
遠心送風機１は、ケーシング３の内部に突条部４０を備えている。突条部４０は、吐出部３２の舌部３３と反対側で、かつ、本体部３１の内部において羽根車２の外周を流れる気流の流れに近接した位置に設けられている。突条部４０は、任意の素材からなるブロックによって形成されている。突条部４０は、吐出部３２の幅方向の全体に延びる形状を有しており、長さ方向（吐出部３２の幅方向）に直交する方向の断面形状は、山なりになっている。本実施形態では、突条部４０の長さ方向に直交する方向の断面形状は、緩やかに傾斜する脚を有する等脚台形状を呈している。この突条部４０は、任意の高さとすることができるが、吐出部３２の高さの３０％以下の高さであることが好ましく、吐出部３２の高さの５％〜３０％の高さであることがより好ましい。
【００２２】
上記のように構成された遠心送風機１は、羽根車２がモータによって回転駆動されると、空気が吸込口３１１ａからケーシング３の内部に吸い込まれ、羽根車２によって遠心方向に送風される。そして、ケーシング３の内部に吸い込まれた空気は、本体部３１の内部において羽根車２の周囲を循環しつつ、突条部４０を越えて吐出部３２を介して吐出口３２ａから吐き出される。
【００２３】
以上のように、本実施形態の遠心送風機１では、舌部３３と反対側の吐出部３２に、吐出部３２の幅方向に延びる突条部４０が設けられている。この構成を有することで、本体部３１の内部において羽根車２の外周を流れる循環流が吐出部３２へ広がることが抑制される。これにより、一旦吐出部３２へ広がり、吐出部３２から本体部３１へ戻ろうとする気流が減少し、そのような気流が循環流または舌部３３と衝突することが抑制され、結果、気流の乱れを抑制することができる。加えて、気流の乱れが抑制されることにより、気流の乱れによって生じる騒音も抑制することができる。
【００２４】
また、突条部４０は、長さ方向に直交する方向の断面形状が山なりとなるように構成されているため、突条部４０を越える空気が、滑らかに吐出口３２ａへ向かって流れることができる。その結果、突条部４０を越える際に気流が乱れることが抑制され、気流の乱れによって生じる騒音を抑制することができる。
【００２５】
以上、本発明の一実施形態について説明したが、本発明はこの実施形態に限定されるものではなく、その趣旨を逸脱しない限りにおいて、種々の変更が可能である。
【００２６】
例えば、上記実施形態では、突条部４０は、長さ方向に直交する方向の断面形状が、緩やかに傾斜する脚を有する等脚台形状を呈しているが、突条部４０の長さ方向に直交する方向の断面形状は、上記形状に限られない。例えば、図３に示すように、突条部４０の長さ方向に直交する方向の断面形状は、急な傾斜の脚を有する等脚台形状としてもよい。また、図４に示すように、突条部４０の長さ方向に直交する方向の断面形状は、気流の流れＢの上流側の脚を緩やかに傾斜する脚とし、気流の流れＢの下流側の脚を急な傾斜の脚とする台形状とすることもできる。
【００２７】
さらには、突条部４０の長さ方向に直交する方向の断面形状は、例えば、正三角形、二等辺三角形、不等辺三角形等の任意の三角形状としてもよい。また、突条部４０の長さ方向に直交する方向の断面形状は、気流の流れＢの上流側が突条部４０の設置面に対して傾斜し、気流の流れＢの下流側が突条部４０の設置面に対して垂直である直角三角形状とすることもできる。
【００２８】
また、上記実施形態では、突条部４０は、任意の素材からなるブロックによって形成されているが、突条部４０は必ずしもブロックによって形成されなくてもよい。例えば、ケーシング３を形成する際に、突条部４０を形成したい位置で外周板３１３をケーシング３の内部側に押し出すようにプレス加工を施すことで、突条部４０を形成してもよい。
【００２９】
また、図５に示すように、突条部４０は、吐出部３２の幅方向と略同等の長さを有する２枚の板材４１をヒンジ４２によって互いに回転可能に連結し、その板材４１のヒンジ４２に連結されていない端部４１ａ，４１ｂを、突条部４０の長さ方向に直交する方向の断面形状が上記した三角形状となるように吐出部３２に取り付けることによって形成されてもよい。このとき、一方（例えば下流側）の板材４１の端部４１ｂを、吐出部３２に対して気流の流れＢの方向に移動可能、つまり、図５の矢印Ｃのように移動可能に取り付け、例えば小風量のときは板材４１が山なりになり、大風量のときは板材４１が吐出部３２を構成する壁面に沿うように平坦になる構成としてもよい。なお、板材４１は、３枚とすることができ、その場合には、突条部４０の長さ方向に直交する方向の断面形状が、図２〜図４に示す台形状となるように突条部４０が設けられればよい。
【００３０】
また、突条部４０は、吐出部３２の幅方向の全体にわたって設けられる必要はなく、吐出部３２の幅方向の少なくとも中央部に設けられればよい。
【００３１】
また、上記実施形態では、突条部４０は、吐出部３２の舌部３３と反対側で、かつ、本体部３１の内部において羽根車２の外周を流れる気流の流れに近接した位置に設けられているが、突条部４０が設けられる位置は上記に限られず、吐出部３２の舌部３３と反対側であれば任意の位置に設けることができる。
【００３２】
また、上記したようにケーシング３は既知の任意の形態を取り得、上記実施形態でケーシング３の一つの具体例を挙げているが、ケーシング３は次のような他の具体的な形態を取ってもよい。すなわち、ケーシング３は、射出成形または鋳造により形成される正面側部材と背面側部材とからなる。正面側部材および背面側部材はそれぞれ、正面視または背面視において、円形状部分と矩形状部分とが一体となった形態を有しており、外周部が一方側に湾曲している。湾曲により凹んだ面を内側として正面側部材および背面側部材の外周縁を既知の任意の方法で接合することで、ケーシング３は形成されている。このとき、矩形状部分は、羽根車２の回転方向Ａの上流側では、円形状部分と滑らかに繋がっており、羽根車２の回転方向Ａの下流側では、舌部３３を介して繋がっている。そして、吐出部３２は、円筒状を呈している。円形状部分が上記実施形態における本体部３１となり、矩形状部分が上記実施形態における吐出部３２となる。このようにケーシング３が射出成形または鋳造により形成される場合には、ケーシング３を形成するための金型を、突条部４０も一体で形成できるような形とし、ケーシング３と突条部４０とを一体に成形してもよい。
【実施例】
【００３３】
次に、本発明の遠心送風機１を用いることによる、遠心送風機１の騒音の低下について説明する。図６には、本発明の遠心送風機１の一実施例と従来の遠心送風機との音圧レベルの比較を示している。
【００３４】
実施例の遠心送風機１は、従来の遠心送風機に、図４に示す突条部４０を設けたものである。突条部４０の長さ方向に直交する方向の断面形状は、高さ５ｍｍ、上底１０ｍｍ、気流の流れＢの上流側の脚の傾斜角度３０°、気流の流れＢの下流側の脚の傾斜角度６０°である。突条部４０は、吐出部３２の幅方向の長さと略同等の長さを有している。
【００３５】
図６に示されるように、遠心送風機１に突条部４０を設けることで、従来の舌部のある遠心送付機に比べて音圧レベルが低下しており、騒音が減少していることが分かる。図６に示されている周波数帯域は、遠心送風機１を小風量で使用するときの一般的な周波数帯域であり、小風量で使用する場合でも騒音を抑制されていることが分かる。
【符号の説明】
【００３６】
１    遠心送風機
２    羽根車
３    ケーシング
３１  本体部
３２  吐出部
３３  舌部
４０  突条部
【図１】
2018040339.tif 000003
【図２】
2018040339.tif 000004
【図３】
2018040339.tif 000005
【図４】
2018040339.tif 000006
【図５】
2018040339.tif 000007
【図６】
2018040339.tif 000008